(57)【要約】  一定の電流を流し込むシャントレギュレータ電源１１０，１２０をそれぞれ備えた送信回路１１および受信回路１２と、その送信回路１１と受信回路１２との間を接続する交流成分を阻止する機能を有する信号伝送路１３と、送信回路１１のグランドＧＮＤAと受信回路１２のグランドＧＮＤBをそれぞれ独立とし、１点でシャントレギュレータ電源１１０，１２０のグランドＧＮＤCに接続する。
2010061511.tif 000002
【特許請求の範囲】
【請求項１】
一定の電流を流し込むシャント形電源をそれぞれ備えた送信回路および受信回路と、
前記送信回路と前記受信回路との間を接続する交流成分を阻止する機能を有する信号伝送路とを備え、
前記送信回路のグランドと前記受信回路のグランドをそれぞれ独立とし、１点で前記シャント形電源のグランドに接続配置してなることを特徴とする信号伝送装置。
【請求項２】
前記信号伝送路は、一つの信号に対して２本の対等な信号線のペアを用い、前記信号を前記信号線ペアの間の電位差として送信する平衡差動信号伝送回路であることを特徴とする請求項１記載の信号伝送装置。
【請求項３】
前記信号伝送路は、フォトカプラーを有することを特徴とする請求項１記載の信号伝送装置。
【発明の詳細な説明】
【技術分野】
【０００１】
この発明は、送信回路と受信回路とが信号伝送路を介して接続される信号伝送装置に関するものである。
【背景技術】
【０００２】
ＥＩＡ２３２やＩＥＥＥ１２８４等のシリアルインタフェース、ＴＴＬやＭＯＳ等のロジック信号、あるいは多くのアナログ信号は、それぞれの信号に対して１本の信号線を用い、信号をその信号のグランドに対する電圧として送る。
この信号伝送方式は不平衡電圧伝送（unbalanced transmission）と呼ばれ、その信号はシングルエンド信号（single end）と呼ばれている。【０００３】
一方、１００Ｂａｓｅ−Ｔ、ＬＶＤＳ（Low Voltage Differential signal）等、通信機器やフラットパネルディスプレイ接続用のデジタルインタフェースは、一つの信号に対して２本の対等な信号線のペアを用い、信号をその信号線ペアの間の電位差として送る。
この信号伝送方式は平衡伝送（balanced transmission）と呼ばれ、その信号は差動信号（differential signal）と呼ばれている。
【発明の概要】
【０００４】
ところで、ＣＤ（Compact Disc）プレーヤに代表されるデジタルオーディオの分野では、音質や性能を追求する努力が絶え間無く続けられている。
例えば、図２に示されるように、デジタル信号処理回路等からなる送信回路３１と、ＤＡ（Digital Analog）変換回路等からなる受信回路３２とが同一基板上に実装されている場合、送信回路３１により発生されるデジタルノイズ（交流信号成分）が信号ライン３３、電源ライン３４、ＧＮＤライン３５を伝播して受信回路３２や当該受信回路以降に接続されるアナログ回路に混入すると、アナログ信号のＳＮ比（Signal to Noise Rate）や歪率の劣化が生じ、その結果、音質が低下する。
【０００５】
なお、図２において、電源回路３６，３７は送信回路３１、受信回路３２にそれぞれ電源を供給する。
【０００６】
一方、図３に示されるように、入力信号に含まれるデジタルノイズやジッターを除去するため、信号ライン３３をフォトカプラー４０等によりアイソレートする場合があるが、この場合であっても、電源ライン３４やＧＮＤライン３５を介し、依然として送信回路３１と受信回路３２の間にループが形成されるためジッターを含むデジタルノイズが伝播され、結果的に音質の低下につながっていた。
【０００７】
この発明は上記した課題を解決するためになされたものであり、信号ライン、電源ライン、グランドラインを経由し、送信回路から出力される信号成分以外のデジタルノイズの受信回路への混入を阻止する信号伝送装置を提供することを目的とする。
【０００８】
上記した課題を解決するためにこの発明の信号伝送装置は、一定の電流を流し込むシャント形電源をそれぞれ備えた送信回路および受信回路と、送信回路と受信回路との間を接続する交流成分を阻止する機能を有する信号伝送路とを備え、送信回路のグランドと受信回路のグランドをそれぞれ独立とし、１点でシャント形電源のグランドに接続配置するものである。
【０００９】
この発明によれば、送信回路のグランドと受信回路のグランドをそれぞれ独立とし、１点でシャント形電源のグランドに接続配置したので、信号伝送路と１点で接続された送信回路および受信回路のグランドを介してできるループに電流が流れない。このため、送信回路および受信回路のグランドのグランド電位は一定に保たれ、信号ライン、電源ライン、グランドラインを経由し、送信回路から出力される信号成分以外のデジタルノイズの受信回路への混入を阻止する信号伝送装置を提供することができる。
【図面の簡単な説明】
【００１０】
【図１】この発明の実施の形態１に係る信号伝送装置の回路構成を示すブロック図である。
【図２】従来の信号伝送装置の回路構成の一例を示す図である。
【図３】従来の信号伝送装置の回路構成の他の例を示す図である。
【発明を実施するための形態】
【００１１】
以下、この発明をより詳細に説明するために、この発明を実施するための形態について、添付の図面にしたがって説明する。
実施の形態１．
図１は、この発明の実施の形態１に係る信号伝送装置の回路構成を示すブロック図である。図１に示されるように、この発明の実施の形態１に係る信号伝送装置１０は、送信回路１１および受信回路１２により構成される。この送信回路１１および受信回路１２はそれぞれ独立して一定の電流を流し込むシャントレギュレータ電源（シャント形電源）１１０，１２０を備えている。
【００１２】
送信回路１１は、例えば、デジタル信号処理回路であり、受信回路１２は、例えば、ＤＡ変換回路であり、これらは信号伝送路１３により接続される。
ここでは、送信回路１１から信号伝送路１３を介して受信回路１２に流入する交流信号成分を阻止するために、信号伝送方式として平衡伝送を用いることとした。
【００１３】
平衡伝送とは、周知のように、信号伝送路１３を流れる一つの信号に対して２本の対等な信号線のペアを用い、信号を信号線ペアの間の電位差として送信する方式である。
具体的に、図１に示されるように、送信回路１１は、ホット（＋）−グランド（ＧＮＤA）間の信号に対し、コールド（−）−グランド（ＧＮＤA）間は逆位相の信号を伝送する。このため、受信回路１２は、ホット（＋）−コールド（−）間で、不図示の差動形レシーバを用いて外来ノイズを除去する構成になっている。
【００１４】
また、この発明の実施の形態１に係る信号伝送装置によれば、送信回路１１のグランド（ＧＮＤA）と受信回路１２のグランド（ＧＮＤB）をそれぞれ独立とし、シャントレギュレータ電源１１０，１２０のグランド（ＧＮＤC）の１点に共通に接続配置する構成をとっている。
【００１５】
上記構成により、シャントレギュレータ電源１１０，１２０は、送信回路１１と受信回路１２のそれぞれに対し独立して電源を供給するが、このとき、電流源により一定の電流を流し込む。その際、シャントレギュレータ電源１１０，１２０から送信回路１１および受信回路１２に一定の電流値が流れ込み、また、送信回路１１および受信回路１２からそれぞれのグランド（ＧＮＤA、ＧＮＤB）を経由して１点のグランド（ＧＮＤC）に流れ込む電流値も一定になる。その結果、送信回路１１と受信回路１２の各グランド（ＧＮＤA、ＧＮＤB）の電位が一定に保たれる。
更に、送信回路１１と受信回路１２間の信号伝送方式も平衡伝送を採用することで信号伝送路１３を流れる信号は一定の電流値になるため、信号伝送路１３と電源ＧＮＤCに接続された送信回路１１および受信回路１２の各グランド（ＧＮＤA、ＧＮＤB）を介して出来るループに交流電流は流れない。
【００１６】
上記のように、信号ライン（信号伝送路１３）、電源ライン、グランドラインのいずれにも交流電流の流入、流出を阻止する結果、送信回路１１と受信回路１２の各グランド（ＧＮＤA、ＧＮＤB）の電位変動を阻止できる。このため、各グランド（ＧＮＤA、ＧＮＤB）の電位が安定し、信号伝送時に発生するジッター等のデジタルノイズの伝播を阻止することができる。
【００１７】
上記したこの発明の実施の形態１に係る信号伝送装置によれば、送信回路１１と受信回路１２のそれぞれが独立にシャントレギュレータ電源１１０，１２０を備えることで、電源側からみた送信回路１１、受信回路１２での供給電流値が一定になり、また、送信回路１１と受信回路１２のそれぞれから各グランド（ＧＮＤA、ＧＮＤB）に流れる電流値も一定に保たれる。
【００１８】
また、送信回路１１から受信回路１２への信号伝送方式に平衡伝送を用い、かつ、送信回路１１と受信回路１２の各グランド（ＧＮＤA、ＧＮＤB）をそれぞれ独立とし、一点でグランド（ＧＮＤC）に接続配置したことにより、送信回路１１から受信回路１２へ供給される電流値は一定になるとともに、信号伝送路１３と、グランド（ＧＮＤC）に接続された送信回路１１および受信回路１２の各グランド（ＧＮＤA、ＧＮＤB）を介して出来るループに交流電流は流れない。
【００１９】
上記のように、この発明の実施の形態１に係る信号伝送装置によれば、信号ライン、電源ライン、グランドラインのいずれにも交流電流の流入、流出を阻止する結果、送信回路１１と受信回路１２のグランド電位の変動を阻止できる。このため、グランド電位が安定し、信号伝送時に発生するジッター等のデジタルノイズの伝播を阻止することができ、また、グランド間電位の変動により生じるデジタル回路のスレッショルドレベルの時間的変動に伴うジッターの発生も抑えることができる。
この発明の実施の形態１に係る信号伝送装置は、特に、デジタルノイズの混入が音質や性能に顕著に現れるデジタルオーディオの分野に適用して大きな効果が得られる。
【００２０】
実施の形態２．
上記した実施の形態１に係る信号伝送装置によれば、送信回路１１から受信回路１２への信号伝送に、信号伝送路１３を流れる一つの信号に対して２本の対等な信号線のペアを用い、信号を信号線ペアの間の電位差として送信することにより、送信回路１１から信号伝送路１３を介して受信回路１２に流入する交流信号成分を阻止することとしたが、上記した平衡伝送に代え、例えば、図３に示されるフォトカプラー４０によるアイソレーションにより、送信回路１１から信号伝送路１３を介して受信回路１２に流入する交流信号成分を阻止しても同様の効果が得られる。また、フォトカプラー４０をパルストランスで代替してもよい。
【００２１】
上記した実施の形態２に係る信号伝送装置によれば、実施の形態１同様、送信回路１１と受信回路１２に搭載した各々のシャントレギュレータ電源１１０，１２０から送信回路１１、受信回路１２に一定電流が流れ込み、また、送信回路１１および受信回路１２からそれぞれのグランド（ＧＮＤA、ＧＮＤB）を経由して１点のグランド（ＧＮＤC）に流れ込む電流値も一定になることから、各グランド（ＧＮＤA、ＧＮＤB）の電位が一定に保たれる。
【００２２】
更に、フォトカプラー４０等によるアイソレーションにより、送信回路１１と受信回路１２間の信号伝送も一定電流になるため、信号伝送路１３とグランド（ＧＮＤｃ）の１点で接続された送信回路１１、受信回路１２の各グランド（ＧＮＤA、ＧＮＤB）を介してできるループに電流は流れない。この結果、送信回路１１と受信回路１２のグランド電位は一定に保たれ、電流変動による信号ライン、電源ライン、グランドラインを介したデジタルノイズの伝播が解消される。
【００２３】
なお、上記したこの発明の実施の形態１、実施の形態２に係る信号伝送装置によれば、音響製品に適用した場合についてのみ説明したが、その適用範囲は、音響製品に制限されるものでなく、１００Ｂａｓｅ−Ｔ、ＥＴＡ４８５、ＬＶＤＳ等、通信機器やフラットパネルディスプレイ接続用のデジタルインタフェースを搭載した電子機器の全てに適用が可能である。
【産業上の利用可能性】
【００２４】
この発明に係る信号伝送装置は、信号ライン、電源ライン、グランドラインを経由し、送信回路から出力される信号成分以外のデジタルノイズの受信回路への混入を阻止できるため、送信回路と受信回路とが信号伝送路を介して接続される信号伝送装置等に用いるのに適している。
【図１】
2010061511.tif 000003
【図２】
2010061511.tif 000004
【図３】
2010061511.tif 000005
【手続補正書】
【提出日】平成23年10月21日(2011.10.21)
【手続補正１】
【補正対象書類名】明細書
【補正対象項目名】全文
【補正方法】変更
【補正の内容】
【発明の詳細な説明】
【技術分野】
【０００１】
この発明は、送信回路と受信回路とが信号伝送路を介して接続される信号伝送装置に関するものである。
【背景技術】
【０００２】
ＥＩＡ２３２やＩＥＥＥ１２８４等のシリアルインタフェース、ＴＴＬやＭＯＳ等のロジック信号、あるいは多くのアナログ信号は、それぞれの信号に対して１本の信号線を用い、信号をその信号のグランドに対する電圧として送る。
この信号伝送方式は不平衡電圧伝送（unbalanced transmission）と呼ばれ、その信号はシングルエンド信号（single end）と呼ばれている。
【０００３】
一方、１００Ｂａｓｅ−Ｔ、ＬＶＤＳ（Low Voltage Differential signal）等、通信機器やフラットパネルディスプレイ接続用のデジタルインタフェースは、一つの信号に対して２本の対等な信号線のペアを用い、信号をその信号線ペアの間の電位差として送る。
この信号伝送方式は平衡伝送（balanced transmission）と呼ばれ、その信号は差動信号（differential signal）と呼ばれている。
【発明の概要】
【０００４】
ところで、ＣＤ（Compact Disc）プレーヤに代表されるデジタルオーディオの分野では、音質や性能を追求する努力が絶え間無く続けられている。
例えば、図２に示されるように、デジタル信号処理回路等からなる送信回路３１と、ＤＡ（Digital Analog）変換回路等からなる受信回路３２とが同一基板上に実装されている場合、送信回路３１により発生されるデジタルノイズ（交流信号成分）が信号ライン３３、電源ライン３４、ＧＮＤライン３５を伝播して受信回路３２や当該受信回路以降に接続されるアナログ回路に混入すると、アナログ信号のＳＮ比（Signal to Noise Rate）や歪率の劣化が生じ、その結果、音質が低下する。
【０００５】
なお、図２において、電源回路３６，３７は送信回路３１、受信回路３２にそれぞれ電源を供給する。
【０００６】
一方、図３に示されるように、入力信号に含まれるデジタルノイズやジッターを除去するため、信号ライン３３をフォトカプラー４０等によりアイソレートする場合があるが、この場合であっても、電源ライン３４やＧＮＤライン３５を介し、依然として送信回路３１と受信回路３２の間にループが形成されるためジッターを含むデジタルノイズが伝播され、結果的に音質の低下につながっていた。
【０００７】
この発明は上記した課題を解決するためになされたものであり、信号ライン、電源ライン、グランドラインを経由し、送信回路から出力される信号成分以外のデジタルノイズの受信回路への混入を阻止する信号伝送装置を提供することを目的とする。
【０００８】
上記した課題を解決するためにこの発明の信号伝送装置は、一定の電流を流し込むシャント形電源をそれぞれ備えた送信回路および受信回路と、送信回路と受信回路との間を接続する交流成分を阻止する機能を有する信号伝送路とを備え、送信回路のグランドと受信回路のグランドをそれぞれ独立とし、１点でシャント形電源のグランドに接続配置してなり、信号伝送路は、一つの信号に対して２本の対等な信号線のペアを用い、信号を信号線ペアの間の電位差として送信する平衡差動信号伝送回路である。
【０００９】
また、この発明の信号伝送装置は、一定の電流を流し込むシャント形電源をそれぞれ備えた送信回路および受信回路と、送信回路と受信回路との間を接続する交流成分を阻止する機能を有する信号伝送路とを備え、送信回路のグランドと受信回路のグランドをそれぞれ独立とし、１点でシャント形電源のグランドに接続配置してなり、信号伝送路は、フォトカプラーを有するものである。
【００１０】
この発明によれば、送信回路のグランドと受信回路のグランドをそれぞれ独立とし、１点でシャント形電源のグランドに接続配置したので、信号伝送路と１点で接続された送信回路および受信回路のグランドを介してできるループに電流が流れない。このため、送信回路および受信回路のグランドのグランド電位は一定に保たれ、信号ライン、電源ライン、グランドラインを経由し、送信回路から出力される信号成分以外のデジタルノイズの受信回路への混入を阻止する信号伝送装置を提供することができる。
【図面の簡単な説明】
【００１１】
【図１】この発明の実施の形態１に係る信号伝送装置の回路構成を示すブロック図である。
【図２】従来の信号伝送装置の回路構成の一例を示す図である。
【図３】従来の信号伝送装置の回路構成の他の例を示す図である。
【発明を実施するための形態】
【００１２】
以下、この発明をより詳細に説明するために、この発明を実施するための形態について、添付の図面にしたがって説明する。
実施の形態１．
図１は、この発明の実施の形態１に係る信号伝送装置の回路構成を示すブロック図である。図１に示されるように、この発明の実施の形態１に係る信号伝送装置１０は、送信回路１１および受信回路１２により構成される。この送信回路１１および受信回路１２はそれぞれ独立して一定の電流を流し込むシャントレギュレータ電源（シャント形電源）１１０，１２０を備えている。
【００１３】
送信回路１１は、例えば、デジタル信号処理回路であり、受信回路１２は、例えば、ＤＡ変換回路であり、これらは信号伝送路１３により接続される。
ここでは、送信回路１１から信号伝送路１３を介して受信回路１２に流入する交流信号成分を阻止するために、信号伝送方式として平衡伝送を用いることとした。
【００１４】
平衡伝送とは、周知のように、信号伝送路１３を流れる一つの信号に対して２本の対等な信号線のペアを用い、信号を信号線ペアの間の電位差として送信する方式である。
具体的に、図１に示されるように、送信回路１１は、ホット（＋）−グランド（ＧＮＤA）間の信号に対し、コールド（−）−グランド（ＧＮＤA）間は逆位相の信号を伝送する。このため、受信回路１２は、ホット（＋）−コールド（−）間で、不図示の差動形レシーバを用いて外来ノイズを除去する構成になっている。
【００１５】
また、この発明の実施の形態１に係る信号伝送装置によれば、送信回路１１のグランド（ＧＮＤA）と受信回路１２のグランド（ＧＮＤB）をそれぞれ独立とし、シャントレギュレータ電源１１０，１２０のグランド（ＧＮＤC）の１点に共通に接続配置する構成をとっている。
【００１６】
上記構成により、シャントレギュレータ電源１１０，１２０は、送信回路１１と受信回路１２のそれぞれに対し独立して電源を供給するが、このとき、電流源により一定の電流を流し込む。その際、シャントレギュレータ電源１１０，１２０から送信回路１１および受信回路１２に一定の電流値が流れ込み、また、送信回路１１および受信回路１２からそれぞれのグランド（ＧＮＤA、ＧＮＤB）を経由して１点のグランド（ＧＮＤC）に流れ込む電流値も一定になる。その結果、送信回路１１と受信回路１２の各グランド（ＧＮＤA、ＧＮＤB）の電位が一定に保たれる。
更に、送信回路１１と受信回路１２間の信号伝送方式も平衡伝送を採用することで信号伝送路１３を流れる信号は一定の電流値になるため、信号伝送路１３と電源ＧＮＤCに接続された送信回路１１および受信回路１２の各グランド（ＧＮＤA、ＧＮＤB）を介して出来るループに交流電流は流れない。
【００１７】
上記のように、信号ライン（信号伝送路１３）、電源ライン、グランドラインのいずれにも交流電流の流入、流出を阻止する結果、送信回路１１と受信回路１２の各グランド（ＧＮＤA、ＧＮＤB）の電位変動を阻止できる。このため、各グランド（ＧＮＤA、ＧＮＤB）の電位が安定し、信号伝送時に発生するジッター等のデジタルノイズの伝播を阻止することができる。
【００１８】
上記したこの発明の実施の形態１に係る信号伝送装置によれば、送信回路１１と受信回路１２のそれぞれが独立にシャントレギュレータ電源１１０，１２０を備えることで、電源側からみた送信回路１１、受信回路１２での供給電流値が一定になり、また、送信回路１１と受信回路１２のそれぞれから各グランド（ＧＮＤA、ＧＮＤB）に流れる電流値も一定に保たれる。
【００１９】
また、送信回路１１から受信回路１２への信号伝送方式に平衡伝送を用い、かつ、送信回路１１と受信回路１２の各グランド（ＧＮＤA、ＧＮＤB）をそれぞれ独立とし、一点でグランド（ＧＮＤC）に接続配置したことにより、送信回路１１から受信回路１２へ供給される電流値は一定になるとともに、信号伝送路１３と、グランド（ＧＮＤC）に接続された送信回路１１および受信回路１２の各グランド（ＧＮＤA、ＧＮＤB）を介して出来るループに交流電流は流れない。
【００２０】
上記のように、この発明の実施の形態１に係る信号伝送装置によれば、信号ライン、電源ライン、グランドラインのいずれにも交流電流の流入、流出を阻止する結果、送信回路１１と受信回路１２のグランド電位の変動を阻止できる。このため、グランド電位が安定し、信号伝送時に発生するジッター等のデジタルノイズの伝播を阻止することができ、また、グランド間電位の変動により生じるデジタル回路のスレッショルドレベルの時間的変動に伴うジッターの発生も抑えることができる。
この発明の実施の形態１に係る信号伝送装置は、特に、デジタルノイズの混入が音質や性能に顕著に現れるデジタルオーディオの分野に適用して大きな効果が得られる。
【００２１】
実施の形態２．
上記した実施の形態１に係る信号伝送装置によれば、送信回路１１から受信回路１２への信号伝送に、信号伝送路１３を流れる一つの信号に対して２本の対等な信号線のペアを用い、信号を信号線ペアの間の電位差として送信することにより、送信回路１１から信号伝送路１３を介して受信回路１２に流入する交流信号成分を阻止することとしたが、上記した平衡伝送に代え、例えば、図３に示されるフォトカプラー４０によるアイソレーションにより、送信回路１１から信号伝送路１３を介して受信回路１２に流入する交流信号成分を阻止しても同様の効果が得られる。また、フォトカプラー４０をパルストランスで代替してもよい。
【００２２】
上記した実施の形態２に係る信号伝送装置によれば、実施の形態１同様、送信回路１１と受信回路１２に搭載した各々のシャントレギュレータ電源１１０，１２０から送信回路１１、受信回路１２に一定電流が流れ込み、また、送信回路１１および受信回路１２からそれぞれのグランド（ＧＮＤA、ＧＮＤB）を経由して１点のグランド（ＧＮＤC）に流れ込む電流値も一定になることから、各グランド（ＧＮＤA、ＧＮＤB）の電位が一定に保たれる。
【００２３】
更に、フォトカプラー４０等によるアイソレーションにより、送信回路１１と受信回路１２間の信号伝送も一定電流になるため、信号伝送路１３とグランド（ＧＮＤｃ）の１点で接続された送信回路１１、受信回路１２の各グランド（ＧＮＤA、ＧＮＤB）を介してできるループに電流は流れない。この結果、送信回路１１と受信回路１２のグランド電位は一定に保たれ、電流変動による信号ライン、電源ライン、グランドラインを介したデジタルノイズの伝播が解消される。
【００２４】
なお、上記したこの発明の実施の形態１、実施の形態２に係る信号伝送装置によれば、音響製品に適用した場合についてのみ説明したが、その適用範囲は、音響製品に制限されるものでなく、１００Ｂａｓｅ−Ｔ、ＥＴＡ４８５、ＬＶＤＳ等、通信機器やフラットパネルディスプレイ接続用のデジタルインタフェースを搭載した電子機器の全てに適用が可能である。
【産業上の利用可能性】
【００２５】
この発明に係る信号伝送装置は、信号ライン、電源ライン、グランドラインを経由し、送信回路から出力される信号成分以外のデジタルノイズの受信回路への混入を阻止できるため、送信回路と受信回路とが信号伝送路を介して接続される信号伝送装置等に用いるのに適している。
【手続補正２】
【補正対象書類名】特許請求の範囲
【補正対象項目名】全文
【補正方法】変更
【補正の内容】
【特許請求の範囲】
【請求項１】
一定の電流を流し込むシャント形電源をそれぞれ備えた送信回路および受信回路と、
前記送信回路と前記受信回路との間を接続する交流成分を阻止する機能を有する信号伝送路とを備え、
前記送信回路のグランドと前記受信回路のグランドをそれぞれ独立とし、１点で前記シャント形電源のグランドに接続配置してなり、
前記信号伝送路は、一つの信号に対して２本の対等な信号線のペアを用い、前記信号を前記信号線ペアの間の電位差として送信する平衡差動信号伝送回路であることを特徴とする信号伝送装置。
【請求項２】
一定の電流を流し込むシャント形電源をそれぞれ備えた送信回路および受信回路と、
前記送信回路と前記受信回路との間を接続する交流成分を阻止する機能を有する信号伝送路とを備え、
前記送信回路のグランドと前記受信回路のグランドをそれぞれ独立とし、１点で前記シャント形電源のグランドに接続配置してなり、
前記信号伝送路は、フォトカプラーを有することを特徴とする信号伝送装置。
【国際調査報告】
2010061511.tif 000006
2010061511.tif 000007